(57)【要約】  フック（２）を備え、衣類を掛けるためにこのフックから２つのアーム（３）が角度を成して出ていて、ズボンを掛けるための水平棒（４）を備えているか備えず、さらに、アーム（３）の一方の端部に靴用の靴べら（５）を合体させ、靴べらは、アーム自体の縁が丸い遠位領域に軽く広がる溝入り延長部によって、または、関節結合部（６）を介して連結して展開するか収納するように位置付けることができる追加部材によって画成される、２通りの使用法を有する衣類用ハンガーである。【選択図】図２
2018536479.tif 000002
【特許請求の範囲】
【請求項１】
フック（２）を備え、スーツ、ジャケットまたはシャツなどの衣類を掛けるために前記フックから２つのアーム（３）が角度を成して出ていて、前記アーム（３）の両端を結んでズボンを掛ける役割を果たす下方の水平棒（４）を備えているか備えていない、２通りの使用法を有する衣類用ハンガーであって、さらに、前記アーム（３）の少なくとも一方の端部に靴用の靴べら（５）を合体させていることを特徴とする、２通りの使用法を有する衣類用ハンガー。
【請求項２】
前記靴べら（５）は、前記アーム（３）自体の溝入り延長部の存在によって画成され、前記延長部は、遠位領域に軽く広がり、前記領域は縁が丸くなっていることを特徴とする、請求項１に記載の２通りの使用法を有する衣類用ハンガー。
【請求項３】
各アーム（３）に靴べら（５）を備えていることを特徴とする、請求項２に記載の２通りの使用法を有する衣類用ハンガー。
【請求項４】
前記靴べら（５）は、関節結合部（６）を介して前記アーム（３）の端部に連結する追加部材を構成し、それによって使用位置、展開位置もしくは伸張位置、または前記ハンガー（１）の内側部分に向かって収納される休止位置または非使用位置に位置することができることを特徴とする、請求項１に記載の２通りの使用法を有する衣類用ハンガー。
【請求項５】
前記アーム（３）の端部にある前記靴べら（５）の前記関節結合部（６）は、回転を可能にするリベットからなることを特徴とする、請求項４に記載の２通りの使用法を有する衣類用ハンガー。
【発明の詳細な説明】
【技術分野】
【０００１】
本発明は、本明細書に記載したように、以下に詳細に説明するいくつかの特徴を備えている２通りの使用法を有する衣類用ハンガーに関し、この特徴は、本発明の適用分野で現在の技術水準に新規性があると思われる。
【０００２】
さらに詳細には、本発明の目的は、スーツまたはその他の衣類を掛けるために使用され、クローゼットの棒または何らかのフックまたは洋服掛けに衣類を吊すためのフックを上部に有する用具からなるハンガーであって、ハンガーの少なくとも片側、好ましくは両側に、靴を履きやすくする靴べらを合体させ、追加機能または２通りの使用法をハンガーにもたらすという特徴を備えている、ハンガーに関する。
【０００３】
本発明の適用分野は、家庭用品の製造を専門とする産業分野に該当し、特に、スーツおよびその他の衣類を掛けるためのハンガーの分野、またそれと同時に靴用の靴べらの分野に焦点を当てている。
【背景技術】
【０００４】
先行技術を参照すると、他のハンガーは知られておらず、少なくとも本出願人は、本明細書に記載した特徴と同様の技術上、構造上および構成上の特徴を備えている同じような使用法の他の発明は一切ないことを指摘でき、特許請求の範囲に記載したように、本発明を差別化する詳細な特徴を、本明細書に添付の最終的な請求項に適切に列挙している。
【発明の概要】
【発明が解決しようとする課題】
【０００５】
したがって、本発明が提案する２通りの使用法を有する衣類用ハンガーは、特筆に値する新規性があるものとして作成され、その新規性とは、上記に指摘したように、スーツ、ジャケットおよびその他の衣類を掛けるための用具としての従来の使用法に、靴に足を入れるのを補助する用具、すなわち靴べらとしてのハンガーの追加の使用法を組み合わせることである。
【課題を解決するための手段】
【０００６】
そのために、本発明のハンガーは、木材、プラスチックまたは金属などの何らかの適切な材料で作製されることが可能で、左右対称のアームが別々の設計であってもよく、ズボンを掛ける横棒を備えているか備えていないように形成されるものであり、前述したアームの少なくとも一方の端部に靴べらを合体させる点が際立っており、靴べらは、好ましくは前記アームの溝入り延長部の存在によって画成され、この延長部は、遠位領域に軽く広がり、この領域は縁が丸くなっている。
【０００７】
ハンガーを左右対称の構造にするために、好ましくは、ハンガーの各アームは、その端部に靴べらを備え、靴べらは、アーム自体と一体化した部分であり、ハンガーに掛けるスーツ、シャツまたはジャケットの肩とぴったり合わさる端部を構成する。
【０００８】
ただし、ハンガーの一実施変形例では、一方のアームの端部のみに靴べらを備えており、そのような場合は、好ましくは、回転を可能にするリベットなどの関節結合部を介して前記アームに連結する追加部材となり、必要なときには靴べらを使用位置にし、通常の使用法ではハンガーの構造が変わらない休止位置にすることができる。
【０００９】
いずれの場合でも、靴べらをハンガーに合体させることで、ハンガーの機能が向上して前述した２通りの使用法の可能性をもたらすだけでなく、さらに、靴べらを扱う際の柄が長くなり、靴べらを使用して靴を履くのにあまりかがむ必要がなくなるため、靴べらとしての使用法の有効性が高まる。
【００１０】
以上のことを踏まえて、記載した２通りの使用法を有する衣類用ハンガーは、意図する目的のために、現在まで知られていない構造上および構成上の特徴を有する革新的な構造であり、実際の使用に結びついているという理由から、請求する独占権を取得するのに十分な根拠を有することがわかる。
【００１１】
記載した説明を補足するため、また、本発明の特徴をよりよく理解するのを補助するために、本明細書には、明細書全体の一部として例示的かつ非限定的な性質の図面を添付しており、図面は以下の通りである。
【図面の簡単な説明】
【００１２】
【図１】本発明の目的である２通りの使用法を有する衣類用ハンガーの第１の実施例、具体的には２つの靴べらが各アームの端部に１つずつある例で、靴べらの構成および配置を示している概略立面図である。
【図２】本発明によるハンガーの第２の実施例の立面図であり、この場合、折り畳める関節結合式の単一の靴べらを有する。
【発明を実施するための形態】
【００１３】
前述の図を参照し、採用した符号によれば、提案するハンガーの非限定的な各実施例では、ハンガーは、以下に詳細に示し説明する部分および部材を含んでいることがわかる。
【００１４】
したがって、前記図で確認したように、本ハンガー（１）は、公知のように、木材、プラスチック、金属、もしくはその他の材料、またはこれらを組み合わせたものでできた用具にフック（２）を組み込んだものからなり、このフックから、２つのアーム（３）が角度を成して出ていて、このアームの上で、掛ける衣類の肩が支えられ、場合によっては、アーム（３）の両端を結んでズボンを掛ける役割を果たす下方の水平棒（４）が組み込まれている。
【００１５】
ここで、前記構成から、ハンガー（１）はさらに、アーム（３）の少なくとも一方の端部に靴用の靴べら（５）を合体させている。
【００１６】
一実施形態では、前記靴べら（５）は、アーム（３）自体の溝入り延長部の存在によって画成され、この延長部は、遠位領域に軽く広がり、この領域は縁が丸くなっている。
【００１７】
この形態では、好ましくは、ハンガーは、図１に示した実施例のように、左右対称であってハンガー（１）の平衡を保っている各アーム（３）に靴べら（５）を備えている。
【００１８】
ただし、一実施変形例では、靴べら（５）は、回転を可能にするリベットなどの関節結合部（６）を介してアーム（３）の端部に連結する追加部材を構成し、それによって、図２の実施例が示すような使用位置、展開位置もしくは伸張位置、または靴べらがハンガー（１）の内側部分に向かって収納されている休止位置または非使用位置に位置することができる。
【００１９】
本発明を実施する方法として本発明の性質を十分に説明したため、当業者が本発明の範囲およびそこから生じる利点を理解するために本発明をさらに深く説明する必要はないと思われ、本発明の本質の範囲内であれば、実施例として示したものとは細部が異なる他の実施形態でも実施でき、そのような実施形態も、本発明の基本原理を変更したり入れ替えたり修正したりしない限り、特許請求の範囲内に収まることは明らかである。
【図１】
2018536479.tif 000003
【図２】
2018536479.tif 000004
【手続補正書】
【提出日】平成30年10月10日(2018.10.10)
【手続補正１】
【補正対象書類名】特許請求の範囲
【補正対象項目名】全文
【補正方法】変更
【補正の内容】
【特許請求の範囲】
【請求項１】
フック（２）を備え、スーツ、ジャケットまたはシャツなどの衣類を掛けるために前記フックから２つのアーム（３）が角度を成して出ていて、前記アーム（３）の両端を結んでズボンを掛ける役割を果たす下方の水平棒（４）を備えているか備えず、前記アーム（３）の少なくとも一方の端部に靴用の靴べら（５）を合体させており、２通りの使用法を有する衣類用ハンガーであって、前記靴べら（５）は、関節結合部（６）を介して前記アーム（３）の端部に連結する追加部材を構成し、それによって使用位置、展開位置もしくは伸張位置、または前記ハンガー（１）の内側部分に向かって収納される休止位置または非使用位置に位置することができることを特徴とする、２通りの使用法を有する衣類用ハンガー。
【請求項２】
前記アーム（３）の端部にある前記靴べら（５）の前記関節結合部（６）は、回転を可能にするリベットからなることを特徴とする、請求項１に記載の２通りの使用法を有する衣類用ハンガー。
【国際調査報告】
2018536479.tif 000005
2018536479.tif 000006
2018536479.tif 000007
2018536479.tif 000008
2018536479.tif 000009
2018536479.tif 000010